(57)【要約】【課題】音域の異なる第１のスピーカ及び第２のスピーカを同軸上に配置したスピーカ装置において、前記第１スピーカからの音波を拡散させるディフューザの一部を着脱可能にし、第１のスピーカからの音波の拡散態様を調整することが出来るスピーカ装置を提供する。【解決手段】第１のスピーカとしてのウーハ１からの音波を拡散させるディフューザ３は、底が開放された円皿状の拡散板３２及び拡散板３２のウーハ１側の縁と連設された支持部３１からなる。拡散板３２は、周縁側の周部板３２ｂ及び中央側の中央板３２ａからなり、中央板３２ａには周部板３２ｂ着脱可能に掛止する掛止部３９を設ける。従って拡散板３２の周部板３２ｂの着脱により、第１のスピーカからの音波の拡散態様を調整することが可能となる。【選択図】図３
2008193434.tif 000002
【特許請求の範囲】
【請求項１】
音域の異なる第１のスピーカ及び第２のスピーカを同軸上に配置したスピーカ装置において、
前記第１のスピーカからの音波を拡散させる複数の部分からなるディフューザと、
該ディフューザの複数の部分のうち一部を着脱可能に固定する固定部と
を備えていることを特徴とするスピーカ装置。
【請求項２】
前記ディフューザは前記第１のスピーカ及び第２のスピーカの間に設けられ、
前記第１のスピーカに向けて縮径し、底が開放された皿状の拡散部を有し、
前記固定部は前記拡散部の前記第１スピーカ側の周縁部に設けられていることを特徴とする請求項１に記載のスピーカ装置。
【請求項３】
前記第２のスピーカは略円筒状をなし、
前記一部の最小内径は、前記第２のスピーカの最大外径より大きく構成されていることを特徴とする請求項２に記載のスピーカ装置。
【請求項４】
前記一部は最小内径側の縁部に前記第１のスピーカに向けて複数の嵌合突起が設けられ、
前記固定部は前記嵌合突起に対応する位置に複数の嵌合凹部が設けられていることを特徴とする請求項１乃至３のいずれか一つに記載のスピーカ装置。
【請求項５】
前記第２のスピーカからの音波を拡散する第２ディフューザと、
前記ディフューザの前記一部に設けられ、前記第２ディフューザを着脱可能に固着するための固着部と
を備えていることを特徴とする請求項１乃至４のいずれか一つに記載のスピーカ装置。
【請求項６】
前記第１及び第２のスピーカを保持する筐体と、
該筐体に取り付けられ、前記筐体の設置面に対する角度を調整するスタンドと
を備えることを特徴とする請求項１乃至５のいずれか一つに記載のスピーカ装置。
【請求項７】
前記スタンドは、前記筐体の設置面からの高さを調整する調整部を備えることを特徴とする請求項６に記載のスピーカ装置。
【請求項８】
前記筐体に設けられ、取り外されたディフューザの前記一部を着脱可能に保持する保持部材
を備えることを特徴とする請求項１乃至７のいずれか一つに記載のスピーカ装置。
【請求項９】
前記ディフューザは漏斗状をなし、前記第１のスピーカのヨークに取付けられており、
前記ヨークを貫通すると共に、前記ディフューザを非接触状態で貫通し、前記第２のスピーカが取り付けられる取付軸を備えていることを特徴とする請求項１乃至８のいずれか一つに記載のスピーカ装置。
【発明の詳細な説明】
【技術分野】
【０００１】
本発明は、音域の異なる第１のスピーカ及び第２のスピーカを同軸上に配置したスピーカ装置に関する。
【背景技術】
【０００２】
一般のスピーカは一方向へ音波を出力するいわゆる単一指向性スピーカである。これに対して、例えばスピーカからの音波を拡散させるディフューザを設け、前後上下左右の方向へ均等に音波を出力するスピーカを無指向性スピーカという。この無指向性スピーカは、音波の聴取範囲が広く、音の定位が立体的に実現され、聴取者に臨場感を与える。
【０００３】
このような無指向性スピーカにおいては、低音域のスピーカ（以下、ウーハという）及び高音域のスピーカ（以下、ツイーターという）を同軸上に配設することにより、音の定位を明確に実現するいわゆる同軸スピーカ装置が提案されている（例えば、特許文献１参照）。
【０００４】
しかしこのようなスピーカ装置は、箱型形状のスピーカ筺体にスピーカユニットがフレームを介して固定しているので、スピーカユニットからの振動がフレームを介してスピーカ筺体に伝達され、スピーカ筺体からの雑音発生の一大要因になっている。また、スピーカ筺体に伝達された振動は、フレームを介して再びスピーカユニットに伝達され、スピーカユニット全体に不要な振動を発生させるので、結果的には本来の音波の振動に重畳され、音質をさらに劣化させるといった問題がある。
【０００５】
このような問題に対しては、振動を吸収する例えばゲルのような緩衝材を介してスピーカユニットをスピーカ筺体に固定したスピーカ装置が提案されている（例えば、特許文献２参照）。この場合、スピーカユニットからスピーカ筺体に伝達される振動及び、スピーカ筐体からスピーカユニットに伝達される振動が前記緩衝材に吸収され、これらの振動に邪魔されることなく複雑な音の波形を忠実に再生することができる。
【０００６】
一方、使用目的によっては無指向性スピーカ又は単一指向性スピーカを選択する必要がある。つまり、ホール、ロビーなどのような音場空間においては、楽音などの低周波の複雑な波形の再生に忠実した無指向性スピーカが効果的である。その一方で、開放された空間での講演会などにおいては、客席に向けて音波を出力する指向性が強く求められるので無指向性スピーカより単一指向性スピーカが効果的である。
【特許文献１】特開２００１−２２４０８９号公報
【特許文献２】特開平５−５６４９３号公報
【発明の開示】
【発明が解決しようとする課題】
【０００７】
しかしながら、特許文献１及び特許文献２のスピーカ装置はいずれも無指向性のみを有しており、上述のように音質より指向性が求められる場合においてはその使用が制限されるといった問題がある。
【０００８】
また、近年普及している薄型ディスプレイは部屋の壁付近に設置されることが多いところ、この薄型ディスプレイとは別体のスピーカも壁付近に設置されることが多い。この場合、壁に反射された音波が本来の音波の振動に重畳され、音質が劣る虞が生じる。従って、スピーカからの音波に所定方向への指向性をもたらせ、壁に反射する音波を低減させる必要があるが、特許文献１及び特許文献２のスピーカ装置はいずれも指向性の調整が出来ず、このような必要に対応することが出来ないといった問題がある。
【０００９】
本発明は斯かる事情に鑑みてされたものであり、その目的は、第１のスピーカ及び第２のスピーカを同軸上に配置したスピーカ装置において、前記第１のスピーカからの音波を拡散させる複数の部分からなるディフューザの複数の部分の一部を着脱可能に固定する固定部を備えることにより、前記ディフューザの一部を取り外すことが出来、第１のスピーカからの音波の拡散態様を調整することが出来るスピーカ装置を提供することにある。  
【００１０】
また、本発明の他の目的は、前記第１のスピーカに向けて縮径し、底が開放された皿状の拡散部の前記第１のスピーカ側の周縁部に前記固定部を設けることにより、前記ディフューザの前記一部を取り外した場合は前記拡散部の大部分が取り外されることになり、前記第１のスピーカからの音波の拡散が起こり難くなって単一指向性の特性をもたらすことが出来るスピーカ装置を提供することにある。
【００１１】
また、本発明の他の目的は、前記一部の最小内径を、略円筒状をなす前記第２のスピーカの最大外径より大きく構成することにより、前記第２のスピーカを外すことなく前記一部を取り外し、音波の拡散の態様を調整することが出来るスピーカ装置を提供することにある。
【００１２】
また、本発明の他の目的は、前記一部の最小内径側の縁部に複数の嵌合突起を設け、前記固定部の前記嵌合突起に対応する位置に複数の嵌合凹部を設け、前記嵌合凹部に前記嵌合突起を嵌脱することにより、必要に応じて前記一部を固定及び取り外し、音波の拡散の態様を調整することが出来るスピーカ装置を提供することにある。
【００１３】
また、本発明の他の目的は、前記第２のスピーカからの音波を拡散する第２ディフューザを着脱可能に固着する固着部をディフューザの前記一部に設けることにより、前記一部を着脱することで第２ディフューザが同時に着脱でき、無指向性及び単一指向性間の特性の変換が容易である上、前記第２ディフューザのみを前記一部から取り外し、前記第２ディフューザからの音波の拡散の態様のみを調整することが出来るスピーカ装置を提供することにある。
【００１４】
また、本発明の他の目的は、前記第１及び第２のスピーカが保持される筐体と、前記筐体の設置面に対する角度を調整するスタンドとを備えることにより、利用者が必要に応じて前記スピーカ及び前記筐体の設置面に対する角度を調整し、スピーカからの音波の聴取範囲を変えることが出来るスピーカ装置を提供することにある。
【００１５】
また、本発明の他の目的は、前記スタンドが前記筐体の設置面からの高さを調整する調整部を備えることにより、利用者が必要に応じて前記筐体の設置面からの高さを調整し、スピーカからの音波の聴取範囲を変えることが出来るスピーカ装置を提供することにある。
【００１６】
また、本発明の他の目的は、取り外されたディフューザの前記一部を着脱可能に保持する保持部材を備えることにより、取り外された前記一部の紛失及び破損に備え、取り外されたディフューザの前記一部を常に前記筐体の保持部材に着脱可能に保持することが出来るスピーカ装置を提供することにある。
【００１７】
また、本発明の他の目的は、漏斗状をなす前記ディフューザを前記第１のスピーカのヨークに取付け、前記ヨークを貫通すると共に、前記ディフューザを非接触状態で貫通する取付軸に前記第２のスピーカを取付けることにより、第１のスピーカからの音波に応じて振動する前記ディフューザの振動が第２のスピーカへ与える影響を低減させ、音の定位をより明確に実現できるスピーカ装置を提供することにある。
【課題を解決するための手段】
【００１８】
本発明に係るスピーカ装置は、音域の異なる第１のスピーカ及び第２のスピーカを同軸上に配置したスピーカ装置において、前記第１のスピーカからの音波を拡散させる複数の部分からなるディフューザと、該ディフューザの複数の部分のうち一部を着脱可能に固定する固定部とを備えていることを特徴とする。
【００１９】
本発明にあっては、音域の異なる第１のスピーカ及び第２のスピーカを同軸上に配置し、前記第１のスピーカからの音波を拡散させるディフューザが複数の部分からなるように構成する。前記ディフューザには前記固定部を設け、前記固定部を用いて前記ディフューザの複数の部分のうち一部を取り外し、第１のスピーカからの音波の拡散態様を変化させる。
【００２０】
本発明に係るスピーカ装置は、前記ディフューザは前記第１のスピーカ及び第２のスピーカの間に設けられ、前記第１のスピーカに向けて縮径し、底が開放された皿状の拡散部を有し、前記固定部は前記拡散部の前記第１スピーカ側の周縁部に設けられていることを特徴とする。
【００２１】
本発明にあっては、前記ディフューザを前記第１のスピーカ及び第２のスピーカの間に設け、前記固定部を第１のスピーカからの音波を拡散させる前記拡散部の前記周縁部に設ける。従って前記一部を取り外した場合、第１のスピーカからの音波は殆ど拡散されず、単一指向性が得られる。前記一部を取り付けた場合は、第１のスピーカからの音波は拡散され、無指向性が得られる。
【００２２】
本発明に係るスピーカ装置は、前記第２のスピーカは略円筒状をなし、前記一部の最小内径は、前記第２のスピーカの最大外径より大きく構成されていることを特徴とする。
【００２３】
本発明にあっては、取り外される前記一部の最小内径を、略円筒状の前記第２のスピーカの最大外径より大きくなるように構成する。従って、前記一部を取り外す際、前記第２のスピーカを外す必要がなくなる。
【００２４】
本発明に係るスピーカ装置は、前記一部は最小内径側の縁部に前記第１のスピーカに向けて複数の嵌合突起が設けられ、前記固定部は前記嵌合突起に対応する位置に複数の嵌合凹部が設けられていることを特徴とする。
【００２５】
本発明にあっては、前記一部を取り外す場合は、前記嵌合突起を前記固定部の前記嵌合凹部から外す。一方、前記一部を取り付ける場合は、前記嵌合突起を前記固定部の前記嵌合凹部に嵌め込む。
【００２６】
本発明に係るスピーカ装置は、前記第２のスピーカからの音波を拡散する第２ディフューザと、前記ディフューザの前記一部に設けられ、前記第２ディフューザを着脱可能に固着するための固着部とを備えていることを特徴とする。
【００２７】
本発明にあっては、前記ディフューザの前記一部に前記固着部を設け、前記第２ディフューザを着脱可能に固着する。従って、利用者が前記ディフューザの一部を取り外すだけで、第２ディフューザも共に取り外され、単一指向性スピーカ装置として使用され得る。また、必要に応じて前記第２ディフューザのみを取り外し、前記第２ディフューザからの音波の拡散の態様のみを調整する。
【００２８】
本発明に係るスピーカ装置は、前記第１及び第２のスピーカを保持する筐体と、該筐体に取り付けられ、前記筐体の設置面に対する角度を調整するスタンドとを備えることを特徴とする。
【００２９】
本発明にあっては、前記筐体に前記第１及び第２のスピーカを保持させ、前記筐体に前記スタンドを取り付ける。前記スピーカからの音波の聴取範囲の変更などの必要が生じた場合、前記スタンドを用いて設置面に対する前記筐体及びスピーカの角度を調整する。
【００３０】
本発明に係るスピーカ装置は、前記スタンドは、前記筐体の設置面からの高さを調整する調整部を備えることを特徴とする。
【００３１】
本発明にあっては、前記スタンドの前記調整部を用いて、設置面に対する前記筐体及びスピーカの高さを調整し、スピーカからの音波の聴取範囲を調整する。
【００３２】
本発明に係るスピーカ装置は、前記筐体に設けられ、取り外されたディフューザの前記一部を着脱可能に保持する保持部材を備えることを特徴とする。
【００３３】
本発明にあっては、単一指向性スピーカ装置としての使用などのために取り外された前記ディフューザの一部を紛失、破損などから保護するため、取り外された前記ディフューザの一部を前記保持部材に保持しておく。
【００３４】
本発明に係るスピーカ装置は、前記ディフューザは漏斗状をなし、前記第１のスピーカのヨークに取付けられており、前記ヨークを貫通すると共に、前記ディフューザを非接触状態で貫通し、前記第２のスピーカが取り付けられる取付軸を備えていることを特徴とする。
【００３５】
本発明にあっては、前記ディフューザを前記第１のスピーカのヨークに取り付ける。前記ヨークを貫通すると共に、前記ディフューザを非接触状態で貫通する取付軸を備え、該取付軸には前記第２のスピーカを取り付ける。従って第２のスピーカ及びディフューザの相互接触が防止され、第１のスピーカによるディフューザの振動が第２のスピーカへ与える影響が低減される。
【発明の効果】
【００３６】
本発明によれば、前記第１のスピーカからの音波を拡散させる複数の部分からなるディフューザの複数の部分のうち一部を、着脱可能に固定する固定部を備えているので、前記ディフューザの前記一部を取り外すことが出来、拡散される第１のスピーカからの音波の態様を調整することが出来る。
【００３７】
本発明によれば、前記第１のスピーカに向けて縮径し、底が開放された皿状の拡散部の前記第１のスピーカ側の周縁部に前記固定部を設けているので、前記ディフューザの前記一部を取り外すことで前記第１のスピーカからの音波の拡散が起こり難くし、単一指向性の特性をもたらすことが出来る。
【００３８】
本発明によれば、前記一部の最小内径を、略円筒状をなす前記第２のスピーカの最大外径より大きく構成しているので、前記第２のスピーカを外さなくても前記一部を取り外すことが出来、音波の拡散態様の調整を容易に行うことが出来る。
【００３９】
本発明によれば、前記一部の最小内径側の縁部に複数の嵌合突起を設け、前記固定部の前記嵌合突起に対応する位置に複数の嵌合凹部を設けているので、前記嵌合凹部に前記嵌合突起を嵌脱することにより、容易に前記一部の固定及び取り外し、音波の拡散の態様を調整することが出来る。
【００４０】
本発明によれば、前記第２のスピーカからの音波を拡散する第２ディフューザと、前記ディフューザの前記一部に設けられ、前記第２ディフューザを着脱可能に固着する固着部とを備えているので、前記一部を着脱することで第２ディフューザが共に着脱され、無指向性及び単一指向性間の特性の変換が容易になると共に、前記第２ディフューザのみを取り外し、前記第２ディフューザからの音波の拡散の態様のみを調整することも可能である。
【００４１】
本発明によれば、前記第１及び第２のスピーカが保持される筐体と、該筐体に取り付けられ、前記筐体の設置面に対する角度を調整するスタンドとを備えているので、利用者が必要に応じて前記スピーカ及び前記筐体の設置面に対する角度を調整し、スピーカからの音波の聴取範囲を変えることが出来る。
【００４２】
本発明によれば、前記スタンドが前記筐体の設置面からの高さを調整する調整部を備えているので、利用者が必要に応じて前記筐体の設置面からの高さを調整し、スピーカからの音波の聴取範囲を変えることが出来る。
【００４３】
本発明によれば、前記筐体に設けられ、取り外されたディフューザの前記一部を着脱可能に保持する保持部材を備えているので、取り外された前記一部の紛失及び破損に備え、取り外されたディフューザの前記一部を常に前記筐体の保持部材に着脱可能に保持することが出来る。
【００４４】
本発明によれば、前記ディフューザを前記第１のスピーカのヨークに取付け、前記ヨークを貫通すると共に、前記ディフューザを非接触状態で貫通する取付軸に前記第２のスピーカを取り付けているので、第１のスピーカからの音波に応じて振動する前記ディフューザの振動により前記第２のスピーカが影響を受けることを低減させ、音の定位をより明確に実現できる。
【発明を実施するための最良の形態】
【００４５】
（実施の形態１）
以下本発明の実施の形態１を、図面を参照して説明する。図１は実施の形態１に係るスピーカ装置の概要を示す模式的斜視図である。スピーカ装置は、筐体５と、該筐体５に保持される第１のスピーカとしてのウーハ１及び第２のスピーカとしてのツイータ２と、ウーハ１に対応するディフューザ３と、ツイータ２に対応する第２ディフューザ４と、スタンド５１とから構成されている。
【００４６】
筐体５は木材、アルミニウム等の金属、透光性樹脂、またはガラス等から製造され、円筒状を有している。筐体５の一端部には開口が設けられており、他端部である下端部には、複数のスタンド５１、５１、５１が筐体５の外周面にビス止めまたは接着剤等により固定されている。
【００４７】
筐体５の前記開口の縁にはウーハ１が載置されている。ディフューザ３、ツイータ２及び第２ディフューザ４は筐体５の長手方向に沿ってウーハ１と同軸上に配設されており、筐体５の前記開口から突出している。
【００４８】
ディフューザ３は略漏斗形状をなしており、ウーハ１に向けて漸次縮径する底が開放された円皿状をなし、ウーハ１からの音波を拡散させる拡散板３２（拡散部）と、拡散板３２をウーハ１と同軸上になるように支持する支持軸３１とを備えている。拡散板３２は後述する周部板３２ｂ（一部）及び中央板３２ａに二分されており、支持軸３１は円管状をなしており、拡散板３２の下端に連設されている。ウーハ１からの音波は拡散板３２の裏面に沿って拡散される。
【００４９】
ツイータ２は、ディフューザ３の上側の中央部にてディフューザ３と接触しないように設けられている。ツイータ２は上半球殻の形状をなす振動部２３と、該振動部２３の周縁部を保持する円筒状の保持部２４とを備えている。
【００５０】
ツイータ２の上側には第２ディフューザ４が設けられている。第２ディフューザ４は、複数の連結棒４１，４１，４１，４１及び拡散板４２を備えている。連結棒４１，４１，４１，４１は一端が拡散板３２の周縁部に着脱可能に取り付けられており、他端は拡散板４２の周縁部に固定されている。従って、連結棒４１，４１，４１，４１と拡散板３２の周縁部との連結を解除することにより、第２ディフューザ４を取り外すことが可能である。拡散板４２は円皿状をなし、ツイータ２からの音波は拡散板４２の裏面に沿って拡散される。
【００５１】
図２はスピーカ装置の縦断面を示す模式的縦断面図、図３はディフューザ３の周部板３２ｂ及び第２ディフューザ４を分離した状態におけるスピーカ装置の縦断面を示す斜視図、図４はディフューザ３の周部板３２ｂ及び第２ディフューザ４を分離した状態におけるスピーカ装置の縦断面を示す模式的縦断面図、図５はスピーカ装置を構成する部品の縦断面を示す分解斜視図である。
【００５２】
ウーハ１の下端部にはヨーク１２が備わり、ヨーク１２の上側には円環状のマグネット１３が載置されている。また、マグネット１３の上側には円環状のトップブレード１４を挟んで、ウーハ１の振動板１１、コイルボビン１６及びダンパ１７を収容するフレーム１５が配設されている。フレーム１５は下側に向けて段階的に縮径する略円筒形状をなしている。振動板１１はヨーク１２に向けて漸次縮径する円筒状をなしており、マグネット１３との反発力により動くコイルボビン１６は円管状をなし、振動板１１の下端から下側に延出され、フレーム１５の底を貫通している。コイルボビン１６はマグネット１３及びトップブレード１４の内径より少し小さい外径及び、後述のセンターポール１２２より大きい内径を有している。振動板１１の周縁には溝部１８が周設されており、振動板１１の下側にはダンパ１７が設けられている。
【００５３】
底面視円環状をなすヨーク１２は円環状のボトムプレート１２１を備えており、ボトムプレート１２１の中心部にはボトムプレート１２１の内径と等しい内径を有する円筒状のセンターポール１２２が突設されている。ボトムプレート１２１及びセンターポール１２２は同軸上に設けられており、一体成形されている。ボトムプレート１２１及びセンターポール１２２の内周面には夫々の内側を貫くネジ溝１２３が形成されており、ボトムプレート１２１及びセンターポール１２２の内側にはネジ孔１２４が形成されている。ネジ溝１２３には、後述の取付軸６の下端部のネジ部６４及び支持軸３１の下端部のネジ部３４がそれぞれ螺合されている。すなわち、ネジ孔１２４の直径と、支持軸３１のネジ部３４の外径及び取付軸６のネジ部６４の直径とが、略同一径である。
【００５４】
ボトムプレート１２１上側にはマグネット１３、トップブレード１４及びフレーム１５が、取付軸６を中心として同軸上に載置されている。コイルボビン１６の下部がマグネット１３、トップブレード１４を貫通しており、コイルボビン１６の下部にセンターポール１２２が挿入されている。
【００５５】
コイルボビン１６の上端部は上述のように、振動板１１に連結されている。振動板１１は上側に向けて直径が大きくなり、振動板１１の上側の周縁には縦断面視半円形の溝部１８が周設される。溝部１８の周縁には鍔状の保持板１５１が周設されている。円筒状の筐体５の前記開口の縁には縦断面視Ｌ字型の段部５２が周設されており、この段部５２にウーハ１の保持板１５１が載置されている。
【００５６】
次に、ディフューザ３について説明する。ディフューザ３は、上述のように拡散板３２及び支持軸３１からなる。拡散板３２のウーハ１側の縁には支持軸３１が連設されている。拡散板３２は中央板３２ａ及び周部板３２ｂ（一部）に二分されており、拡散板３２のウーハ１側の周縁部９に設けられた掛止部（固定部）３９によって周部板３２ｂが中央板３２ａに固定されている。周部板３２ｂは拡散板３２の周縁側であり、中央板３２ａは支持軸３１の近傍の中央側である。掛止部３９は中央板３２ａに設けられており、掛止部３９に対応する被掛止部３８が周部板３２ｂに設けられている。被掛止部３８は平面視略円環形状をなし、掛止部３９は円管状をなしている。周部板３２ｂの上側の縁にはエッジ３６が設けられており、周部板３２ｂの下側の縁には被掛止部３８が設けられている。中央板３２ａの上側の縁には掛止部３９が設けられており、下端は支持軸３１と連設されている。つまり、拡散板３２のウーハ１側の周縁部９に設けられている掛止部３９から周部板３２ｂ（又は被掛止部３８）が取り外された場合は、ウーハ１からの音波の拡散が生じにくくなり、単一指向性スピーカ装置としての利用が可能となる。
【００５７】
周部板３２ｂは上側に向けて直径が漸次的に大きくなる底が開放された円皿状をなしており、周部板３２ｂの上側の周縁には扁平な上面を有するエッジ３６が周設されている。エッジ３６の上面の適宜の位置、例えばエッジ３６の周縁を４等分する４カ所には略円筒状であって上側が開口された嵌合凹（固着部）３５，３５，３５，３５が設けられている。嵌合凹３５，３５，３５，３５は連結棒４１，４１，４１，４１の下端部と嵌合されている。
【００５８】
被掛止部３８は、周部板３２ｂの下端から支持軸３１の軸方向に沿って立ち上がっている円管状の立ち上がり部３８ａ及び、立ち上がり部３８ａの端から軸側へ延出されている円環状の鍔部３８ｂを有している。鍔部３８ｂの内径はツイータ２の外径より大径であり、鍔部３８ｂはツイータ２と接触することなく囲むように設けられている。鍔部３８ｂの下面の適宜の位置、例えば鍔部３８ｂの周縁を４等分する４カ所にはウーハ１に向けて複数の嵌合突起３８ｃ，３８ｃ，３８ｃ，３８ｃが設けられている。嵌合突起３８ｃ，３８ｃ，３８ｃ，３８ｃが後述の掛止部３９の嵌合凹部３９ａ，３９ａ，３９ａ，３９ａと嵌合されることにより、周部板３２ｂは中央板３２ａに掛止される。つまり、嵌合突起３８ｃ，３８ｃ，３８ｃ，３８ｃ及び嵌合凹部３９ａ，３９ａ，３９ａ，３９ａの嵌脱により、ディフューザ３の周部板３２ｂは中央板３２ａから着脱される。立ち上がり部３８ａ、鍔部３８ｂ及び嵌合突起３８ｃ，３８ｃ，３８ｃ，３８ｃは一体成形されている。
【００５９】
中央板３２ａの周縁には、被掛止部３８の鍔部３８ｂと対向するように掛止部３９を備えている。掛止部３９は、中央板３２ａ周縁から支持軸３１の軸方向に沿って立ち上がっている円管状をなしており、掛止部３９の縁には嵌合突起３８ｃ，３８ｃ，３８ｃ，３８ｃに対応する嵌合凹部３９ａ，３９ａ，３９ａ，３９ａが設けられている。嵌合凹部３９ａ，３９ａ，３９ａ，３９ａは上側が開口された略円筒状をなしている。
【００６０】
支持軸３１は中央板３２ａの下端と連設されている。支持軸３１は外径がセンターポール１２２の内径より大径である円筒形状をなしている。支持軸３１は下端部にネジ部３４が設けられており、ネジ部３４の外周側にはネジ山が形成されている。ネジ部３４はセンターポール１２２の内側のネジ孔１２４と螺合する。ネジ部３４の上端には外周方向へ延出され、センターポール１２２の縁と当接する扁平な当接面３４ａを設けている。つまり、当接面３４ａとセンターポール１２２の縁とが当接された場合、ネジ部３４とネジ孔１２４との螺合は終了される。なお、支持軸３１及び中央板３２ａは一体成形されている。
【００６１】
次に、取付軸６の構成について説明する。取付軸６は下端部のネジ部６４、中間部の案内軸６３及び先端部の先端ネジ部６２から構成されており、ネジ部６４及び先端ネジ部６２は外周面にネジ山が設けられている。ネジ部６４、案内軸６３及び先端ネジ部６２の直径は夫々異なっており、ネジ部６４、案内軸６３及び先端ネジ部６２の順に小さくなるよう構成されている。ネジ部６４の下端には円環状の平ワッシャ６５が設けられており、平ワッシャ６５の下側には円柱状のヘッド６１が突設されている。ヘッド６１、平ワッシャ６５、ネジ部６４、案内軸６３及び先端ネジ部６２は同軸上に、一体成形されている。
【００６２】
ネジ部６４の外周面直径は、センターポール１２２のネジ孔１２４との螺合を可能にすべく、センターポール１２２の内周面直径と略同一となるよう設定されている。取付軸６の軸方向に沿うネジ部６４の長さは、支持軸３１の軸方向に沿うネジ部３４の長さ及びネジ部６４の前記長さの和が、センターポール１２２の長さ方向に沿うネジ孔１２４の長さと略等しい長さまたはそれ以下になるように構成されている。例えば、センターポール１２２のネジ孔１２４の前記長さを５ｃｍとした場合、ネジ部６４の前記長さを４ｃｍ、支持軸３１のネジ部３４の前記長さを１ｃｍとすれば良い。
【００６３】
案内軸６３はネジ部６４と先端ネジ部６２との間に設けられており、案内軸６３の直径は支持軸３１の内径より小さく、ディフューザ３の支持軸３１及び拡散板３２に接触しないように、これらを貫通している。また、先端ネジ部６２にはツイータ２が固定されている。これにより、ウーハ１からの音波による支持軸３１及び拡散板３２の振動が、ツイータ２及びツイータ２が固定されている案内軸６３に伝わることがなくなり、ウーハ１からの音波による振動のツイータ２への影響が低減される。なお、取付軸６の軸方向に沿う案内軸６３の長さは、取付軸６のネジ部６４とネジ孔１２４との螺合が完了された場合に、ツイータ２がディフューザ３の拡散板３２と接することなく先端ネジ部６２に固定されることが可能となるように設定すればよい。
【００６４】
ツイータ２はディフューザ３を非接触状態で貫通する取付軸６の先端ネジ部６２に固定されている。ツイータ２は上半球殻の形状をなす振動部２３と、該振動部２３の周縁部を保持する円筒状の保持部２４と、これらを保持するツイータヨーク２１からなる。ツイータヨーク２１はツイータ２の下側に設けられ、保持部２４の内径より大径の円盤状の受部２１ｂ及び、保持部２４の内径より小径の円柱状の被取付部２１ａを有している。被取付部２１ａは受部２１ｂの中央にて上側に向けて突設されており、被取付部２１ａは保持部２４内に挿入されている。被取付部２１ａの中心部には取付軸６の先端ネジ部６２と螺合するネジ孔２２が設けられおり、受部２１ｂの上面の縁部と保持部２４の下側の縁とが当接された状態で保持部２４がツイータヨーク２１に固定されている。被取付部２１ａ及び受部２１ｂは一体成形されている。
【００６５】
第２ディフューザ４は、円皿状をなす拡散板４２と、拡散板４２の周縁に周設された扁平な上下面を有するエッジ４３とを備えている。エッジ４３下面の適宜の位置、例えばエッジ４３の周縁を４等分する４カ所には連結棒４１，４１，４１，４１が垂設されている。連結棒４１，４１，４１，４１の下端には長さ方向に沿って突起が夫々設けられており、前記突起がディフューザ３のエッジ３６に設けられている嵌合凹３５，３５，３５，３５に夫々嵌合されている。
【００６６】
以下、本発明に係るスピーカ装置の組み立て手順について説明する。ウーハ１の上側からディフューザ３の中央板３２ａ及び支持軸３１が挿入される。この際支持軸３１のネジ部３４がコイルボビン１６及びセンターポール１２２のネジ孔１２４に合わせて挿入され、回転されることによりセンターポール１２２のネジ孔１２４と螺合される。回転と共に支持軸３１は下側に進行し、支持軸３１の当接面３４ａにセンターポール１２２の縁が当接した場合、中央板３２ａ及び支持軸３１の固定が完了される。次いで、中央板３２ａの上端の嵌合凹部３９ａ，３９ａ，３９ａ，３９ａと、ディフューザ３の周部板３２ｂの下端の嵌合突起３８ｃ，３８ｃ，３８ｃ，３８ｃとが嵌合され、ディフューザ３の固定が完了される。
【００６７】
上述のようにディフューザ３をヨーク１２のセンターポール１２２に固定した後に、取付軸６及びツイータ２を取り付ける。取付軸６がヨーク１２の下側からネジ孔１２４を介して挿入される。ヘッド６１を回転させることにより、ネジ部６４がネジ孔１２４と螺合せれ、取付軸６は上側に向けて進行する。この際、取付軸６の先端ネジ部６２及び案内軸６３は上述のようにセンターポール１２２及び支持軸３１の内径より小さい外径を有しているので、センターポール１２２及び支持軸３１の内側と接触することなくこれらを貫通する。
【００６８】
ヘッド６１の回転による螺合に伴い、取付軸６が上側へ進行し、平ワッシャ６５の上面がヨーク１２の下面と当接する時点で螺合が完了される。この際、取付軸６のネジ部６４は、ヨーク１２のネジ孔１２４と螺合しているが、案内軸６３は支持軸３１の内側と接触することなく貫通し、先端ネジ部６２は支持軸３１の上端から突出されることとなる。次いで、取付軸６の先端ネジ部６２にツイータ２のネジ孔２２が螺合され、ツイータ２が取付軸６に固定される。この際、ツイータ２はディフューザ３と接触していない。ツイータ２がディフューザ３に接触した場合、ディフューザ３を介してウーハ１の音波による振動がツイータ２まで伝わるので、取付軸６はこれらが相互接触しないように長さを設定している。
【００６９】
最後に、第２ディフューザ４の連結棒４１，４１，４１，４１の下端の突起が、ディフューザ３の嵌合凹３５，３５，３５，３５と夫々嵌合される。以上の手順により、ウーハ１、ディフューザ３、取付軸６、ツイータ２及び第２ディフューザ４からなるスピーカユニットが一体化される。これらはウーハ１のヨーク１２を下側にして筐体５の前記開口から挿入され、ウーハ１の保持板１５１を段部５２上に載置することにより、本発明に係るスピーカ装置の組み立てが完了する。なお、保持部１５１と段部５２との間に振動吸収用のゲル等を間挿するようにしても良い。
【００７０】
実施の形態１においては、複数の嵌合突起３８ｃ，３８ｃ，３８ｃ，３８ｃを有する被掛止部３８及び、複数の嵌合凹部３９ａ，３９ａ，３９ａ，３９ａを有する掛止部３９により、ディフューザ３の周部板３２ｂが中央板３２ａから着脱される場合について説明したが、これに限るものでない。例えば、被掛止部３８及び掛止部３９が共に円管状をなし、被掛止部３８の内径と、掛止部３９の外径とが略同一径になるように構成することにより、被掛止部３８が掛止部３９に嵌脱可能に嵌着させる構成であっても良い。或いは、被掛止部３８及び掛止部３９が共に円管状であって被掛止部３８の内径と、掛止部３９の外径とが略同一径をなし、被掛止部３８の内周面及び掛止部３９の外周面に夫々ネジ溝及びネジ山を設ける構成とすることにより、被掛止部３８及び掛止部３９を着脱可能に螺合させる構成であっても良い。また、上述のような例に限るものでなく、被掛止部３８が掛止部３９に着脱可能に固定される構成であれば良い。
【００７１】
本発明に係る掛止部３９の位置は、漏斗状をなすディフューザ３の軸と、拡散板３２とがなす角度に応じて適宜変更しても良い。掛止部３９の位置は実施の形態１のものに限定されるものでなく、取り外されるディフューザ３の周部板３２ｂの最小内径がツイータ２の最大外径より少し大きく、ツイータ２を外さずに周部板３２ｂを取り外すことが可能であれば良い。
【００７２】
なお、実施の形態１においては筐体５が円筒形状をなすものとして説明するが、これに限るものではなく楕円筒形状のものであっても良い。さらに筒形状に限るものではなく、中空三角柱状、または中空多角柱状のものであっても良い。
【００７３】
また、実施の形態１においては連結棒４１，４１，４１，４１及び嵌合凹３５，３５，３５，３５が夫々４つである場合ついて説明したが、これに限るものでなく、４つ以上又は以下であっても良い。
【００７４】
また、実施の形態１においては嵌合突起３８ｃ，３８ｃ，３８ｃ，３８ｃ及び嵌合凹部３９ａ，３９ａ，３９ａ，３９ａが夫々４つである場合について説明したが、これに限るものでなく、４つ以上又は以下であっても良い。
【００７５】
また、実施の形態１においては、支持軸３１が内部に空洞を有する筒状である場合としたが、これに限るものではなく、取付軸６の案内軸６３と接触しない形状であれば他の形状であっても良い。
【００７６】
また、実施の形態１においてはネジ部３４及びネジ孔１２４による取り付け方法を例に挙げたが、これに限るものではなく、接着剤等を用いて固定しても良い。
【００７７】
また、実施の形態１においては、鍔部３８ｂ及び掛止部３９に夫々嵌合突起３８ｃ，３８ｃ，３８ｃ，３８ｃ及び嵌合凹部３９ａ，３９ａ，３９ａ，３９ａが設けられ、嵌合突起３８ｃ，３８ｃ，３８ｃ，３８ｃ及び嵌合凹部３９ａ，３９ａ，３９ａ，３９ａが嵌合することにより、周部板３２ｂが中央板３２ａに掛止される場合について説明したが、これに限るものでない。例えば、鍔部３８ｂに嵌合凹部３９ａ，３９ａ，３９ａ，３９ａを設け、掛止部３９に嵌合突起３８ｃ，３８ｃ，３８ｃ，３８ｃを設ける構成にしても良い。
【００７８】
（実施の形態２）
本発明の実施の形態２に係るスピーカ装置は、実施の形態１に係るスピーカ装置と同様に筐体５、ウーハ１、ツイータ２、ウーハ１に係るディフューザ３及びツイータ２に係る第２ディフューザ４から構成されており、詳しい説明は省略する。しかし、実施の形態２に係るスピーカ装置は実施の形態１とは異なり、スタンド７を備えている。
【００７９】
図６は実施の形態２に係るスピーカ装置の概要を示す斜視図であり、図７は周部板３２ｂ及び第２ディフューザ４が外され、スピーカ装置のウーハ１及びツイータ２の設置面に対する高さ並びに角度が変更された状態の斜視図である。
【００８０】
実施の形態２に係るスピーカ装置は、筐体５の外周面の略中間部にスタンド７を設けており、スタンド７によりウーハ１及びツイータ２の設置面に対する高さ並びに角度が調整できるように構成されている（以下、説明の便宜上、設置面側を下側とする）。
【００８１】
スタンド７は円板状をなす基盤部７１、基盤部７１の中央部にて上側に向けて突設されており、筐体５（ウーハ１及びツイータ２）の設置面からの高さを調整する高さ調整部７２、筐体５に固定されている被固定部７３及び、被固定部７３及び筐体５の設置面に対する角度を調整する角度調整部７７を備えている。
【００８２】
高さ調整部７２は、円筒形状をなす案内筒部７２ａ及び案内筒部７２ａに案内され上下方向に移動する移動部７２ｂを備えている。案内筒部７２ａは基盤部７１に下端が固定されており、内部の空洞を用いて移動部７２ｂの上下移動を案内する。移動部７２ｂは円柱状をなしており、移動部７２ｂの一部は案内筒部７２ａ内に収容されている。案内筒部７２ａの外周面の上部には、移動部７２ｂを所定位置で固定するための抑止部材７６を設けている。抑止部材７６はネジ部及び該ネジ部を回転させるためのツマミ部を有しており、案内筒部７２ａの外周面に設けられたネジ穴（図示せず）に前記ネジ部が螺合されている。抑止部材７６は、前記ツマミ部を一方向に回転させることにより、ネジ部の先端が案内筒部７２ａの内側へ進行して移動部７２ｂの円周面と当接して移動部７２ｂを押圧し、移動部７２ｂの移動を抑止させる。従って、抑止部材７６のツマミ部を他方向に回転させた後、移動部７２ｂを上下方向に移動させて筐体５（ウーハ１及びツイータ２）の高さを調整することが出来る。高さの調整後は抑止部材７６のツマミ部を一方向に回転させ、高さを固定させる。
【００８３】
次いで、角度調整部７７及び被固定部７３について説明する。移動部７２ｂの上端に設けられた角度調整部７７は、回転軸７４と、回転軸７４を回転可能に軸止している板状の軸止部７７ａと、回転軸７４により回転可能に支持されている２つの被軸支板７７ｂ、７７ｃを備えている。被固定部７３は筐体５の外周面に倣って湾曲している矩形の板状をなしており、筐体５の外周面に接着剤などにより裏面が固定されている。被固定部７３の表面の中央部には被軸支板７７ｂ，７７ｃが被固定部７３の表面の中央部にて相互対向する状態で所定の間隔を隔てて突設されている。各被軸支板７７ｂ，７７ｃは、厚み方向にこれらを貫通する貫通孔を中央部に夫々設けている。軸止部７７ａは前記間隔より少し小さい厚みを有しており、中央部には厚み方向に貫通する貫通穴を有している。被軸支板７７ｂ，７７ｃ及び軸止部７７ａの夫々の貫通孔は、被軸支板７７ｂ，７７ｃが軸止部７７ａを挟む状態で回転軸７４より挿通されている。被軸支板７７ｂには後述する回転軸７４ネジ部７４ｂと螺合するネジ溝が形成されている。被固定部７３及び被軸支板７７ｂ，７７ｃは一体成形されている。
【００８４】
回転軸７４は、ネジ山が形成されているネジ部７４ｂ及び、ネジ部７４ｂを回転させるためのツマミ部７４ａを備えている。ネジ部７４ｂは被軸支板７７ｂと螺合されており、ツマミ部７４ａは平ワッシャ（図示せず）を介して被軸支板７７ｃの外側に配設されている。ツマミ部７４ａの回転に従って被軸支板７７ｃの外側は平ワッシャと接離される。
【００８５】
ツマミ部７４ａを一方向に回転させた場合、平ワッシャが軸支板７７ｃと当接する。さらにツマミ部７４ａを前記一方向に回転させた場合、ツマミ部７４ａが平ワッシャを介して被軸支板７７ｃを被軸支板７７ｂ側へ押し付ける。従って、被軸支板７７ｃ及び被軸支板７７ｂは共に、軸止部７７ａの方向へ夫々撓むようになり、軸止部７７ａの両面と、被軸支板７７ｃ及び被軸支板７７ｂの内側面とが圧接される。この際、回転軸７４を軸とする被軸支板７７ｃ及び被軸支板７７ｂの回転が抑制され、被固定部７３（筐体５）は固定される。一方、ツマミ部７４ａを他方向に回転させた場合、ツマミ部７４ａは被軸支板７７ｃから離れる方向に移動され、軸止部７７ａの両面と、被軸支板７７ｃ及び被軸支板７７ｂの内側面との圧接は解消される。従って、回転軸７４を軸とする被軸支板７７ｃ及び被軸支板７７ｂ（被固定部７３及び筐体５）の回転が可能となる。つまり、回転軸７４のツマミ部７４ａを前記他方向に回転させ、筐体５（ウーハ１及びツイータ２）の設置面に対する角度を調整し、ツマミ部７４ａ前記一方向に回転させ、筐体５を固定することにより、角度の調整が出来る。
【００８６】
上述の実施の形態２においては、被固定部７３が筐体５の外周面に固定されている場合について説明したが、これに限るものでなく、被固定部７３と、筐体５とを分離可能に設けても良い。例えば、筐体５の円周面の被固定部７３と接する位置に凸部を設け、被固定部７３の裏面の前記凸部に対応する位置に凹部を設けることにより、被固定部７３及び筐体５が分離可能に係止するように構成すれば良い。或いは、筐体５の円周面の被固定部７３と接する位置に被挟持部を設け、被固定部７３の裏面の前記被挟持部に対応する位置に挟持部を設けることにより、筐体５が被固定部７３に分離可能に挟持されるように構成しても良い。
【００８７】
実施の形態１と同様の部分については、同一の符号を付して詳細な説明を省略する。
【００８８】
（実施の形態３）
本発明の実施の形態３に係るスピーカ装置は、実施の形態１に係るスピーカ装置と同様に筐体５、ウーハ１、ツイータ２、ウーハ１に係るディフューザ３及びツイータ２に係る第２ディフューザ４から構成されており、詳しい説明は省略する。しがし、実施の形態３に係るスピーカ装置は実施の形態１とは異なり、外されたディフューザ３の周部板３２ｂ及び第２ディフューザ４を一時的に保持する保持部材８を備えている。
【００８９】
図８は実施の形態３に係るスピーカ装置の概要を示す模式的斜視図であり、図９は外された周部板３２ｂ及び第２ディフューザ４が保持部材８に保持されている状態の模式的斜視図である。
【００９０】
保持部材８は略円柱状をなしており、筐体５の上部の外周面に突設されている。円管状の掛止部３９の外径と等しい直径を有する保持部材８は、円周面を除く両面の内一面が筐体５の外周面に倣う湾曲面であり、前記一面が筐体５の外周面に固定されている。他面８１は扁平であり、他面８１には周部板３２ｂの嵌合突起３８ｃ，３８ｃ，３８ｃ，３８ｃに対応する位置に嵌合穴８２，８２，８２，８２が設けられている。嵌合突起３８ｃ，３８ｃ，３８ｃ，３８ｃは嵌合穴８２，８２，８２，８２に着脱可能に嵌合される。
【００９１】
本発明に係るスピーカ装置は、第２ディフューザ４がディフューザ３の周部板３２ｂと連結棒４１，４１，４１，４１によって連結されており、利用者は周部板３２ｂを着脱するだけで前記スピーカ装置を単一指向性スピーカ装置又は無指向スピーカ装置としての利用できる。この場合、外れた周部板３２ｂ及び第２ディフューザ４は紛失及び破損の虞があるので、周部板３２ｂの嵌合突起３８ｃ，３８ｃ，３８ｃ，３８ｃを保持部材８の嵌合穴８２，８２，８２，８２に嵌合させ、周部板３２ｂと共に周部板３２ｂに連結されている第２ディフューザ４も安全に保管される。
【００９２】
上述の実施の形態２においては、第２ディフューザ４が連結された周部板３２ｂが保持部材８に保持されることにより、第２ディフューザ４も共に保持される場合について説明したが、これに限るものでなく、第２ディフューザ４のための保持部材を別途に設けても良い。
【００９３】
実施の形態１と同様の部分については、同一の符号を付して詳細な説明を省略する。
【００９４】
上述の実施の形態においては、本発明に係るスピーカ装置が円筒形状をなす筐体５を備える場合を例として説明したが、これに限るものでなく、１２面体、２０面体など多面体形状のスピーカ筐体に複数のスピーカを備える無指向性スピーカ装置においても適用可能であることは言うまでもない。
【００９５】
実施の形態１、２及び３においては第１のスピーカ１を低音用のウーハ１、第２のスピーカ２を高音用のツイータ２であるものとして説明するが、これに限るものではなく、超低音用のサブウーハ、中音用のスコーカまたは超高音用のスーパーツイータ等を第１のスピーカ１または第２のスピーカ２に適宜組み合わせて適用しても良い。
【００９６】
実施の形態１、２及び３においては通称エンクローザとして円筒状の筐体５を用いた場合について説明したが、これに限るものでない。例えば、エンクローザとして従来の直方体形状の筐体を用いた場合においても、本発明の効果を奏することが可能である。
【００９７】
図１０はエンクローザとして従来の直方体形状の筐体１０を用いた場合における、本発明に係るスピーカ装置の縦断面を示す斜視図である。表示の便宜上、ディフューザ３の周部板３２ｂ及び第２ディフューザ４を分離した状態を示している。ウーハ１、ディフューザ３、取付軸６、ツイータ２及び第２ディフューザ４からなるスピーカユニットが、直方体形状の筐体１０に固定されている。スピーカユニットは実施の形態１と同様の構成であり、詳しい説明は省略する。
【００９８】
筐体１０は一側壁の中央部に挿入穴２０を設けており、挿入穴２０を介して前記スピーカユニットが筐体１０内に挿入されている。スピーカユニットの保持板１５１の裏側が、前記一側壁の表側に接着剤、ネジ（図示せず）などにより固定されている。
【００９９】
筐体１０の前記一側壁は箱体３０によって覆われており、筐体１０に臨む箱体３０の一側壁は開口されている。箱体３０の前記一側壁と対向する他側壁は筐体１０の前記一側面と略等しい面積を有しており、箱体３０は前記他側壁の中央部に前記スピーカユニットの溝部１８の直径より大径の貫通穴３０ａを有している。貫通穴３０ａの縁には筐体１０に向けて漸次縮径する円管状の音波誘導部３０ｂが延設され、ウーハ１からの音波を誘導する。音波誘導部３０ｂの先端は溝部１８の外側の直径と略等しい直径を有しており、溝部１８の外側縁の真上に配置されている。箱体３０及び音波誘導部３０ｂは一体成形されている。
【０１００】
従来の直方体形状の筐体を用いた場合においても、ディフューザ３の周部板３２ｂ及び第２ディフューザ４を着脱することにより単一指向性スピーカ装置又は無指向スピーカ装置として利用できる。また、第２ディフューザ４のみを着脱することにより、ツイータ２からの音波のみの拡散態様を調整することが出来る。
【図面の簡単な説明】
【０１０１】
【図１】実施の形態１に係るスピーカ装置の概要を示す模式的斜視図である。
【図２】スピーカ装置の縦断面を示す模式的縦断面図である。
【図３】ディフューザの周部板及び第２ディフューザを分離した状態におけるスピーカ装置の縦断面を示す斜視図である。
【図４】ディフューザの周部板及び第２ディフューザを分離した状態におけるスピーカ装置の縦断面を示す模式的縦断面図である。
【図５】スピーカ装置を構成する部品の縦断面を示す分解斜視図である。
【図６】実施の形態２に係るスピーカ装置の概要を示す斜視図である。
【図７】スピーカ装置のウーハ及びツイータの設置面に対する高さ並びに角度が変更された状態の斜視図である。
【図８】実施の形態３に係るスピーカ装置の概要を示す模式的斜視図である。
【図９】外された周部板及び第２ディフューザが保持部材に保持されている状態の模式的斜視図である。
【図１０】エンクローザとして従来の直方体形状の筐体を用いた場合における、本発明に係るスピーカ装置の縦断面を示す斜視図である。
【符号の説明】
【０１０２】
１  ウーハ
２  ツイータ
３  ディフューザ
４  第２ディフューザ
５  筐体
６  取付軸
７  スタンド
８  保持部材
９  周縁部
１０  筐体
１２  ヨーク
３２  拡散板
３２ｂ  周部板
３５  嵌合凹
３８ｃ  嵌合突起
３９  掛止部
３９ａ  嵌合凹部
７２  高さ調整部
【図１】
2008193434.tif 000003
【図２】
2008193434.tif 000004
【図３】
2008193434.tif 000005
【図４】
2008193434.tif 000006
【図５】
2008193434.tif 000007
【図６】
2008193434.tif 000008
【図７】
2008193434.tif 000009
【図８】
2008193434.tif 000010
【図９】
2008193434.tif 000011
【図１０】
2008193434.tif 000012